(57)【特許請求の範囲】
【請求項１】
樹脂製のアウタパネルと樹脂製のインナパネルとが合わされて形成され一端に収納ボックスの開閉のための軸支部が設けられたリッド本体と、該リッド本体の他端側の上記両パネル間に設けられ該リッド本体を閉じ状態に保つためのロック手段とを備えている収納ボックスのリッドにおいて、
上記インナパネルは、その他端に上記アウタパネル側へ突出したフランジ部を備え、該フランジ部に上記アウタパネル側に開口した切欠きが形成されているとともに、該インナパネルの本体部には上記ロック手段の位置決めのための上記アウタパネル側に突出した位置決め用突出部を備え、
上記ロック手段は、上記リッド本体の他端側に突出し上記インナパネルの切欠きに嵌合する突出部と、上記インナパネルの位置決め用突出部が貫通状態に嵌合する嵌合部とを備えていて、
上記ロック手段の突出部がインナパネルの切欠きに嵌合し、該インナパネルの位置決め用突出部がロック手段の嵌合部に嵌合し、該インナパネルのフランジ部及び位置決め用突出部の各々の先端部と上記アウタパネルの内面とが振動溶着しており、該インナパネルとアウタパネルとの間に上記ロック手段が挟持されていることを特徴とする収納ボックスのリッド。
【請求項２】
樹脂製のアウタパネルと樹脂製のインナパネルとが合わされて形成され一端に収納ボックスの開閉のための軸支部が設けられたリッド本体と、該リッド本体の他端側の上記両パネル間に設けられ該リッド本体を閉じ状態に保つためのロック手段とを備えている収納ボックスのリッドにおいて、
上記インナパネルは、その他端に上記アウタパネル側へ突出したフランジ部を備え、該フランジ部に上記アウタパネル側に開口した切欠きが形成されているとともに、該インナパネルの本体部には上記ロック手段の位置決めのための上記アウタパネル側に突出した略Ｌ字状の位置決め用突出部を備え、
上記ロック手段は、上記リッド本体の他端側に突出し上記インナパネルの切欠きに嵌合する突出部と、上記インナパネルの位置決め用突出部に係合する略Ｌ字状の角部を有する延設壁とを備えていて、
上記ロック手段の突出部がインナパネルの切欠きに嵌合し、該インナパネルの位置決め用突出部がロック手段の延設壁に係合し、該インナパネルのフランジ部及び位置決め用突出部の各々の先端部と上記アウタパネルの内面とが振動溶着しており、該インナパネルとアウタパネルとの間に上記ロック手段が挟持されていることを特徴とする収納ボックスのリッド。
【請求項３】
樹脂製のアウタパネルと樹脂製のインナパネルとが合わされて形成され一端に収納ボックスの開閉のための軸支部が設けられたリッド本体と、該リッド本体の他端側の上記両パネル間に設けられ該リッド本体を閉じ状態に保つためのロック手段とを備えている収納ボックスのリッドの製造方法であって、  上記インナパネルの他端に上記アウタパネル側へ突出したフランジ部を設け、該フランジ部に上記アウタパネル側に開口した切欠きを形成しておくとともに、該インナパネルの本体部には上記ロック手段の位置決めのための上記アウタパネル側に突出した位置決め用突出部を設けておき、
上記ロック手段には、上記リッド本体の他端側に突出し上記インナパネルの切欠きに嵌合させる突出部と、上記インナパネルの位置決め用突出部を貫通状態に嵌合させる嵌合部とを設けておき、
上記アウタパネルには、その他端から上記インナパネル側に突出したフランジ部と、該アウタパネルの本体部から上記インナパネル側に突出したリブを設けておき、
上記ロック手段の突出部をインナパネルの切欠きに嵌合する一方、該インナパネルの位置決め用突出部をロック手段の嵌合部に嵌合させ、
上記アウタパネルを上記インナパネルに合わせ、上記ロック手段がフランジ部の長手方向へ移動することを上記インナパネルの切欠きと位置決め用突出部とによって規制し、該ロック手段が上記フランジ部の長手方向と直交する方向へ移動することを上記アウタパネルのフランジ部とリブとによって規制しながら、上記アウタパネルをフランジ部の長手方向に振動させることにより、上記インナパネルのフランジ部及び位置決め用突出部の各々の先端部と上記アウタパネルの内面とを振動溶着させることを特徴とする収納ボックスのリッドの製造方法。
【発明の詳細な説明】
【０００１】
【産業上の利用分野】
本発明は収納ボックスのリッド及びその製造方法に関する。
【０００２】
【従来の技術】
自動車の収納ボックスの開口部を開閉するリッドに関して、樹脂製のインナパネルと樹脂製のアウタパネルとのいずれか一方に起立片を設け、該起立片と他方の内面とを互いに振動溶着させることによってリッドを形成したものは一般に知られている（実開平１−１６２８４２号公報参照）。また、特開平５−７７３２０号公報には、樹脂製の上ケースと樹脂製の下ケースとを両者間にスクリーンを挟持した状態で振動溶着させたものが記載されている。
【０００３】
【発明が解決しようとする課題】
本発明の課題は、上述の如き収納ボックスのリッドをインナパネルとアウタパネルとの振動溶着によって形成するものにおいて、該リッドのロック手段をインナとアウタの両パネル間にネジ部品その他の締結部材を用いずに簡単に且つ確実に保持することができるようにすることにある。
【０００４】
すなわち、上記従来技術のリッドの場合、インナ及びアウタの両パネル間にロック手段を組込もうとすると、その固定のためのネジ部品を必要とするとともに、該ネジ部品を適用するボスを上記振動溶着のための起立片とは別に設ける必要がある。このため、パネルないしはリッドの構造が複雑なものになり、例えばパネルの成形に割り型を用いる必要を生ずるなどしてリッドの製作が面倒なものになるとともに、その製作コストも高くなり、さらにはネジ部品の弛みによるロック手段のガタツキという問題もある。
【０００５】
これに対して、上記従来技術のうち後者のようにロック手段をインナとアウタの両パネル間に挟持することも考えられるが、スクリーンとは違ってロック手段は一般には金属製で重いものであるため、これを両パネル間でずれ動かないように強固に挟持することは難しい。
【０００６】
【課題を解決するための手段】
本発明は、このような課題に対し、リッドのインナパネルに切欠きや突出部を設けてロック手段を確実に且つ簡単に保持することができるようにするものである。
【０００７】
すなわち、請求項１に係る発明は、樹脂製のアウタパネルと樹脂製のインナパネルとが合わされて形成され一端に収納ボックスの開閉のための軸支部が設けられたリッド本体と、該リッド本体の他端側の上記両パネル間に設けられ該リッド本体を閉じ状態に保つためのロック手段とを備えている収納ボックスのリッドにおいて、
上記インナパネルは、その他端に上記アウタパネル側へ突出したフランジ部を備え、該フランジ部に上記アウタパネル側に開口した切欠きが形成されているとともに、該インナパネルの本体部には上記ロック手段の位置決めのための上記アウタパネル側に突出した位置決め用突出部を備え、
上記ロック手段は、上記リッド本体の他端側に突出し上記インナパネルの切欠きに嵌合する突出部と、上記インナパネルの位置決め用突出部が貫通状態に嵌合する嵌合部とを備えていて、
上記ロック手段の突出部がインナパネルの切欠きに嵌合し、該インナパネルの位置決め用突出部がロック手段の嵌合部に嵌合し、該インナパネルのフランジ部及び位置決め用突出部の各々の先端部と上記アウタパネルの内面とが振動溶着しており、該インナパネルとアウタパネルとの間に上記ロック手段が挟持されていることを特徴とする。
【０００８】
請求項２に係る発明は、上記請求項１に係る発明において、そのインナパネルの位置決め用突出部が略Ｌ字状に形成され、ロック手段は嵌合部に代えてこの略Ｌ字状の位置決め用突出部に係合する略Ｌ字状の角部を有する延設壁を備えていることを特徴とする。
【０００９】
請求項３に係る発明は、上記請求項１に係る収納ボックスのリッドの製造に適した方法であって、
上記インナパネルの他端に上記アウタパネル側へ突出したフランジ部を設け、該フランジ部に上記アウタパネル側に開口した切欠きを形成しておくとともに、該インナパネルの本体部には上記ロック手段の位置決めのための上記アウタパネル側に突出した位置決め用突出部を設けておき、
上記ロック手段には、上記リッドの他端側に突出し上記インナパネルの切欠きに嵌合させる突出部と、上記インナパネルの位置決め用突出部を貫通状態に嵌合させる嵌合部とを設けておき、
上記アウタパネルには、その他端から上記インナパネル側に突出したフランジ部と、該アウタパネル本体部から上記インナパネル側に突出したリブを設けておき、
上記ロック手段の突出部をインナパネルの切欠きに嵌合する一方、該インナパネルの位置決め用突出部をロック手段の嵌合部に嵌合させ、
上記アウタパネルを上記インナパネルに合わせ、上記ロック手段がフランジ部の長手方向へ移動することを上記インナパネルの切欠きと位置決め用突出部とによって規制し、該ロック手段が上記フランジ部の長手方向と直交する方向へ移動することを上記アウタパネルのフランジ部とリブとによって規制しながら、上記アウタパネルをフランジ部の長手方向に振動させることにより、上記インナパネルのフランジ部及び位置決め用突出部の各々の先端部と上記アウタパネルの内面とを振動溶着させることを特徴とする。
【００１０】
【作用】
請求項１に係る発明においては、ロック手段は、インナとアウタの両パネルによって挟持されているとともに、該ロック手段の突出部とインナパネルのフランジ部の切欠きとの嵌合、及び該ロック手段の嵌合部とインナパネルの位置決め用突出部との嵌合によってインナパネルに対して保持されるため、該ロック手段の固定のためのネジ部品は不要になるとともに、インナやアウタのパネルにネジ部品のためのボスを設ける必要もない。また、このようにロック手段の保持にネジ部品が必要でないということは、該ネジ部品の弛みに伴うロック手段のガタツキという問題もなくなるということである。
【００１１】
そうして、上記ロック手段をずれ動かないように保持する手段は、インナパネルの切欠きや位置決め用突出部であり、また、位置決め用突出部はアウタパネルと振動溶着する部位も兼ね備えているため、該インナパネルが格別に複雑なものになることはない。もちろん、ロック手段自体に関しても、突出部と嵌合部とを設けるだけであるから、それが複雑なものになることはない。
【００１２】
請求項２に係る発明においては、インナパネルの位置決め用突出部を略Ｌ字状に形成し、これにロック手段の延設壁の略Ｌ字状の角部を係合させるようにしたから、請求項１に係る発明と同様の作用が得られ、しかも、延設壁には請求項１に係る発明の場合のような突出部を貫通させるための貫通部を設ける必要がなく、構造が簡単になる。
【００１３】
また、請求項３に係る発明においては、インナパネルとアウタパネルとを振動溶着させる際に、ロック手段が当該振動方向にずれ動くことが該インナパネルのフランジ部の切欠きとロック手段の位置決め用突出部とによって阻止され、また、ロック手段が上記振動方向と直交する方向へずれ動くことが上記アウタパネルのフランジとリブとによって阻止されるから、当該振動溶着を円滑に行なうことができ、また、該溶着後もロック手段をリッド本体に対してずれ動くことが防止される。
【００１４】
【発明の効果】
請求項１に係る発明によれば、インナパネルのフランジ部に切欠きを形成してこれにロック手段の突出部を嵌合し、また、インナパネル本体部に位置決め用突出部を設けてこれをロック手段の嵌合部に嵌合し、該インナパネルのフランジ部及び位置決め用突出部の各々の先端部と上記アウタパネルの内面とを振動溶着させて、この両パネルによって上記ロック手段を挟持するようにしたから、ネジ部品等の締結部品を用いることなく、ロック手段を両パネル間に簡単に且つ確実に保持することができ、しかも、この両パネルやロック手段が複雑なものになることはなく、割り型等の高価な金型を用いずにこれらの部品を作ることができ、コストの低減に有利になる。
【００１５】
請求項２に係る発明によれば、インナパネルの位置決め用突出部が略Ｌ字状に形成され、ロック手段はこの略Ｌ字状の位置決め用突出部に係合する略Ｌ字状の角部を有する延設壁を備えているから、請求項１に係る発明と同様の効果が得られ、さらにロック手段の構造も簡単になる。
【００１６】
請求項３に係る発明によれば、インナとアウタの両パネルを互いに振動溶着させるにあたって、インナパネルのフランジ部に切欠きを形成してこれにロック手段の突出部を嵌合し、該インナパネル本体部に位置決め用突出部を設けてこれをロック手段の嵌合部に嵌合する一方、アウタパネルにはインナパネル側に突出したフランジ部とリブを設けておき、上記の各嵌合によって上記ロック手段が当該振動方向へ移動することを規制し、該ロック手段が当該振動方向と直交する方向へ移動することをアウタパネルのフランジ部とリブとによって規制するようにしたから、当該振動溶着作業を円滑に行なうことができ、しかも、ロック手段をリッド本体に対して確実に固定することができ、さらに、リッドの製作コストの低減にも有利になる。
【００１７】
【実施例】
以下、本発明の実施例を図面に基づいて説明する。
【００１８】
＜全体構造＞
図１において、１は自動車のインストルメントパネルであり、該インストルメントパネル１にグローブボックスである収納ボックス３が組込まれている。この収納ボックス３は、図２及び図３に示すように物品を収容するボックス部５の前面にリッド７が一体に設けられたものである。
【００１９】
すなわち、上記収納ボックス３は、リッド７の下端部に設けられた軸支部９を中心に手前に回転させて引き出すことによりボックス部５をインストルメントパネル１の開口部１ａから露出させる形式のものであり、リッド７はインストルメントパネル１の開口部１ａを開閉するようになっている。そして、リッド７の上端部に該リッド７を、つまりは収納ボックス３をインストルメントパネル１に対して閉じ状態に保持するロック手段１１が設けられている。
【００２０】
上記リッド７の軸支部９は、該リッド背面の左右の各部に設けられた軸心が左右方向に水平に延びる半円筒状のものであり、インストルメントパネル１の開口部に設けられた支軸（図示省略）に回転自在に嵌合している。また、上記ボックス部５の左右の壁には、収納ボックス３を開動させた際にインストルメントパネル１の開口縁に係合し、該収納ボックス３の開動角度を規制するストッパ１３が設けられている。
【００２１】
＜リッド７の構造＞
図４に示すように、リッド７は、樹脂製のインナパネル１５と樹脂製のアウタパネル１７とよりなるリッド本体を備え、該両パネル１５，１７間に上記ロック手段１１が設けられている。以下では、リッド７の説明の便宜上、上下・左右の概念を用いるが、上下はインストルメントパネル１の開口部１ａをリッド７が閉じた状態を基準とするものである。また、左右は自動車の左右に対応する。
【００２２】
なお、特許請求の範囲の欄でいう一端は実施例では下になり、他端は上になるが、一端・他端を上下に限定するものではない。
【００２３】
−インナパネル１５−
上記インナパネル１５は、インナパネルの本体部１９の上端にアウタパネル１７側に突出したフランジ部２１を備えている。インナパネルの本体部１９は上記ロック手段１１を収容する部位が窪んでいて、該窪み部１９ａにアウタパネル１７側に突出したロック手段位置決め用突出部２３が設けられている。
【００２４】
上記フランジ部２１にはアウタパネル１７側に開口した２つの矩形状の切欠き２５，２５が左右に間隔をおいて形成されている。インナパネルの本体部１９とフランジ部２１との境界部に、上記ロック手段１１のロック部材２０が係脱するインストルメントパネル１に突設されたストライカ（図示省略）が出入りするストライカ用窓２７が開口している。このストライカはインストルメントパネル１の開口縁の上部に設けられ、収納ボックス３を該インストルメントパネル１に対して閉じ状態に保持するものである。
【００２５】
−アウタパネル１７−
上記アウタパネル１７は、アウタパネルの本体部２９の上端にインナパネル１５側に突出したフランジ部３１を備えている。アウタパネルの本体部２９は上記インナパネル１５の窪み部１９ａに対応する窪み部２９ａが形成されているとともに、該窪み部２９ａに上記ロック手段１１の一部が露出する窓２９ｂが形成されている。
【００２６】
上記窪み部２９ａの内面にはインナパネル１５側に突出した左右方向に延びる２つのリブ３３，３３が左右に間隔をおいて設けられ、さらに該リブ３３，３３の上方の上記窓２９ｂの縁にインナパネル１５側に突出した溶着用突起３４，３４が設けられている。また、上記アウタパネルの本体部２９とフランジ部３１との境界部にはインナパネル１５側に突出した２つの溶着用突起３５，３５が左右に間隔をおいて設けられている。上記リブ３３は、ロック手段１１の位置決めとインナパネル１５に対する溶着とに兼用されているものであり、上側の面（ロック手段１１側の面）は先端にいくに従って下方へ傾斜している。
【００２７】
−ロック手段１１−
上記ロック手段１１は、上記ロック部材２０が収納された箱状の本体部３７を備え、該本体部３７のアウタパネル１７側の面に上記ロック部材２０の出入を操作するレバー３９が枢支されている。
【００２８】
上記ロック手段本体部３７の上端には上記インナパネル１５のフランジ部２１の切欠き２５，２５に嵌合する２つの突出部４１，４１が左右に間隔をおいて設けられている。この突出部４１は、ロック手段１１をインナパネル１５の窪み部１９ａに収めたときに上記切欠き２５に嵌合するように、本体部３７のアウタパネル１７側の壁の一部を上方へ突出させてなり、その厚さは上記切欠き２５の深さよりも若干薄くなっている。
【００２９】
また、上記ロック手段本体部３７には、インナパネル１５側の壁を下方へ延ばしてなる延設壁４３が設けられていて、該延設壁４３の中央に上記インナパネル１５の位置決め用突出部２３が上下に貫通した状態に嵌合する下方へ開口した嵌合部（切欠き）４５が形成されている。延設壁４３の先端面は、上記アウタパネル１７のリブ３３の傾斜した上側の面が当接するものであり、該リブ３３の上側面に対応して傾斜している。
【００３０】
−ロック手段１１及びパネル１５，１７の具体的な関係−
図５及び図６に示すように、ロック手段１１がインナパネル１５の窪み部１９ａに収容されて、上端の突出部４１，４１がインナパネル１５のフランジ部２１の切欠き２５，２５に嵌合し、下端の嵌合部４５にインナパネル１５の位置決め用突出部２３が貫通状態に嵌合している。
【００３１】
一方、アウタパネル１７がインナパネル１５に被せられて、ロック手段１１の突出部４１，４１の先端面がアウタパネル１７のフランジ部３１に当接している一方、アウタパネル１７のリブ３３，３３の傾斜した上側面がロック手段１１の下側延設壁４３の傾斜した先端面に当接している。
【００３２】
そして、上記インナパネル１５のフランジ部２１の先端面がアウタパネル１７の上端部内面に振動溶着し、アウタパネル１７のリブ３３，３３の先端面がインナパネル１５の窪み部１９ａに振動溶着している。また、アウタパネル１７の上端の溶着用突起３５，３５がロック手段１１の突出部４１，４１に振動溶着し、下端の溶着用突起３４，３４がロック手段１１の下側延設壁４３に振動溶着している。ロック手段１１の操作レバー３９はアウタパネル１７の窓２９ａに配置されている。
【００３３】
＜リッド７の製造方法＞
内面が上になるように設けたインナパネル１５の窪み部１９ａにロック手段１１を入れて、該ロック手段１１の上端の突出部４１，４１をインナパネル１５のフランジ部２１の切欠き２５，２５に嵌合させ、下端の嵌合部４５にインナパネル１５の位置決め用突出部２３を嵌合させる。この両嵌合によって、ロック手段１１は、インナパネル１５に対する左右、すなわちフランジ部２１の長手方向の位置決めがなされるとともに、該左右方向への移動が規制される。
【００３４】
そして、上記インナパネル１５にアウタパネル１７を被せる。このアウタパネル１７のリブ３３，３３の先端面はロック手段１１の下側延設壁４３の傾斜した先端面に案内されてインナパネル１５の窪み部１９ａに当接し、ロック手段１１はリブ３３，３３に押されてアウタパネル１７のフランジ部３１側に移動し、該フランジ部３１に突出部４１，４１の先端面が当接する。ロック手段１１は、このアウタパネル１７のフランジ部３１及びリブ３３との当接によって上下の位置決めがなされるとともに、該上下方向への移動が規制される。
【００３５】
そうして、上記アウタパネル１７をインナパネル１５及びロック手段１１に対して押し付けながら左右方向、すなわちフランジ部３１の長手方向に振動させることにより、アウタパネル１７の上端部内面とインナパネル１５のフランジ部２１の先端面との振動溶着、アウタパネル１７のリブ３３，３３の先端面とインナパネル１５の窪み部１９ａとの振動溶着、アウタパネル１７の上端の溶着用突起３５，３５とロック手段１１の突出部４１，４１との振動溶着、下端の溶着用突起３４，３４とロック手段１１の下側延設壁４３との振動溶着を行なう。
【００３６】
ロック手段１１は、上述の如く左右方向（すなわち振動方向）への移動が規制されているとともに、上下方向（すなわち当該振動方向と直交する方向）への移動が規制されているから、上記アウタパネル１７の振動溶着の際にずれ動くことがなく、該溶着作業は簡単に且つ円滑なものになり、溶着不良を防止する上で有利になる。
【００３７】
＜他の実施例＞
本例については図７及び図８に要部のみが示されている。すなわち、インナパネル１５については、該インナパネルの本体部１９の窪み部１９ａに、先の位置決め用突出部２３に代えて、各々左右方向に延びる辺と上下方向に延びる辺とからなる一対の互いに向合う略Ｌ字状の位置決め用突出部５１，５３が設けられている点が先の実施例と異なる。この位置決め用突出部５１，５３は、ロック手段１１の延設壁４３の先端両側の角部４３ａ，４３ａがそれぞれ係合するものである。
【００３８】
従って、当該延設壁４３には先の実施例のような嵌合部は設けられていない。また、アウタパネル１７に関しては、該アウタパネルの本体部２９の窪み部２９ａに先の実施例と同様の溶着用突起５４，５４が設けられているが、リブは設けられていない。
【００３９】
本例の場合、ロック手段１１は、その上端の突出部４１とインナパネル１５の切欠き２５との嵌合、及び延設壁４３と上記位置決め用突出部５１，５３との係合によって左右の位置決めがなされるとともに、該左右方向への移動が規制される。また、ロック手段１１は、その上端の突出部４１とアウタパネル１７のフランジ部３１との当接、及び延設壁４３と上記位置決め用突出部５１，５３との係合によって上下の位置決めがなされるとともに、該上下方向への移動が規制される。
【００４０】
なお、上記収納ボックス３はボックス部５とリッド７とが一体になったものであるが、ボックス部とリッドとが別体になった収納ボックスであっても、本発明を適用できることはもちろんである。
【図面の簡単な説明】
【図１】自動車のインストルメントパネルの斜視図
【図２】収納ボックスを前面側からみた斜視図
【図３】収納ボックスを背面側からみた斜視図
【図４】リッドの一部の分解斜視図
【図５】図４のＡ−Ａ線におけるリッドの断面図
【図６】図４のＢ−Ｂ線におけるリッドの断面図
【図７】他の実施例のリッドの一部の分解斜視図
【図８】図７のＣ−Ｃ線におけるリッドの断面図
【符号の説明】
１  インストルメントパネル
３  収納ボックス
５  ボックス部
７  リッド
９  軸支部
１１  ロック手段
１５  インナパネル
１７  アウタパネル
１９  インナパネルの本体部
２１  フランジ部
２３  位置決め用突出部
２５  切欠き
２７  ストライカ用窓
２９  アウタパネルの本体部
３１  フランジ部
３３  リブ
３４，５４  溶着用突起
３５  溶着用突起
４１  突出部
４３  延設壁
４３ａ  角部
４５  嵌合部
５１，５３  略Ｌ字状の位置決め用突出部
【図１】
0003563806.tif 000002
【図２】
0003563806.tif 000003
【図３】
0003563806.tif 000004
【図４】
0003563806.tif 000005
【図５】
0003563806.tif 000006
【図６】
0003563806.tif 000007
【図７】
0003563806.tif 000008
【図８】
0003563806.tif 000009